(57)【要約】【課題】  適切に竿先端部の強度を向上させながら、重量化を招来しない構成を提供する。【解決手段】  竿体の軸線長さに相当する長さを備えたプリプレグ製のメインパターン３Ａに対して、メインパターン３Ａより軸線長さが短いプリプレグ製の口巻き補強パターン４Ａ、４Ｂを、メインパターン３Ａの竿先端部位置において互いに重なり合う状態に巻回して構成し、口巻き補強パターン４Ａ、４Ｂにおける巻始め部分４ａ、４ｃを巻終わり部分４ｂ、４ｄの上に重ね合わせてある。【選択図】        図３
2006314230.tif 000002
【特許請求の範囲】
【請求項１】
竿先端部位置に竿体の全長より軸線長さが短いプリプレグ製の口巻き補強パターンを巻回してある釣り竿用の竿体であって、前記口巻き補強パターンにおける巻終わり部分を巻始め部分の上に重ね合わせてある釣り竿の竿体。
【請求項２】
竿体の軸線長さに相当する長さを備えたプリプレグ製のメインパターンに対して、前記メインパターンより軸線長さが短いプリプレグ製の口巻き補強パターンを、前記メインパターンの竿先端部位置において互いに重なり合う状態に巻回して構成してある釣り竿用の竿体であって、前記口巻き補強パターンにおける巻終わり部分を巻始め部分の上に重ね合わせてある釣り竿の竿体。
【請求項３】
前記口巻き補強パターンの上から外側口巻き補強パターンを巻回するとともに、前記外側口巻き補強パターンにおける巻始め部分と巻終わり部分とを円周上において重ね合わせて構成し、前記内側に位置する口巻き補強パターンにおける巻き始め部分と巻き終わり部分との重ね合わせ部分と、前記外側に位置する口巻き補強パターンにおける巻き始め部分と巻き終わり部分との重ね合わせ部分とを、竿体の軸芯を挟んで互いに反対側の１８０°位置又は略１８０°位置に配置してある請求項２記載の釣り竿の竿体。
【発明の詳細な説明】
【技術分野】
【０００１】
本発明は、竿先端部位置に竿体の全長より軸線長さが短いプリプレグ製の口巻き補強パターンを巻回してある釣り竿用の竿体に関する。
【背景技術】
【０００２】
竿先端部位置に補強パターンを巻回して竿先端を補強しているものがある（特許文献１参照）。
【０００３】
【特許文献１】特開２００３−２６５０７５号公報（段落番号〔０００９〕及び、図２）
【発明の開示】
【発明が解決しようとする課題】
【０００４】
上記構成においては、補強パターンを円周方向に一巻きするものや、一巻で強度が不足すると考える場合には複数巻きするものがあった。このように、一巻で強度が不足する場合には複数巻きするが、複数巻きする場合には強度は向上するものの、竿としての重量が増し持ち重りの原因にもなることがあった。
【０００５】
本発明の目的は、適切に竿先端部の強度を向上させながら、重量化を招来しない構成を提供する点にある。
【課題を解決するための手段】
【０００６】
〔構成〕
請求項１に係る発明の特徴構成は、前記口巻き補強パターンにおける巻終わり部分を巻始め部分の上に重ね合わせてある点にあり、その作用効果は次の通りである。
【０００７】
〔作用〕
つまり、口巻き補強パターンを巻回するに、巻始め部分の上に巻き終わり部分を重ねるように巻回するので、巻始め部分と巻き終わり部分とが重なっている部位では補強パターンの二プライ分の強度を発揮するものにできるとともに、巻始め部分と巻き終わり部分以外の巻回部分については補強パターンを一プライ巻いただけのものである。
【０００８】
〔効果〕
したがって、大きな荷重が作用する部分に前記した巻始め部分と巻き終わり部分の重ね合わせ部分を配置することによって、補強パターンの２プライ分の強度で対抗することができるとともに、他の巻回部分は１プライ分で済むので、ニプライ分の重量増を来たすことはない。
このような構成によって、強度を向上させながら、重量増を抑えたものにできる釣り竿を提供できるにいたった。
【０００９】
請求項２に係る発明の特徴構成は、請求項１に係る発明において、竿体の軸線長さに相当する長さを備えたプリプレグ製のメインパターンに対して、前記メインパターンより軸線長さが短いプリプレグ製の口巻き補強パターンを、前記メインパターンの竿先端部位置において互いに重なり合う状態に巻回して構成してある釣り竿用の竿体において、前記口巻き補強パターンにおける巻終わり部分を巻始め部分の上に重ね合わせてある点にあり、その作用効果は次の通りである。
【００１０】
〔作用効果〕
つまり、口巻き補強パターンにおける巻終わり部分を巻始め部分の上に重ね合わせる構成により、補強効果を高めながら竿体としての重量増を必要最小限のものに抑える釣り竿を提供できるに至った。
【００１１】
請求項３に係る発明の特徴構成は、請求項２に係る発明において、前記口巻き補強パターンの上から外側口巻き補強パターンを巻回するとともに、前記外側口巻き補強パターンにおける巻始め部分と巻終わり部分とを円周上において重ね合わせて構成し、前記内側に位置する口巻き補強パターンにおける巻き始め部分と巻き終わり部分との重ね合わせ部位と、前記外側に位置する口巻き補強パターンにおける巻き始め部分と巻き終わり部分との重ね合わせ部位とを、竿体の軸芯を挟んで互いに反対側の１８０°位置又は略１８０°位置に配置してある点にあり、その作用効果は次の通りである。
【００１２】
〔作用効果〕
つまり、釣り竿に魚が掛かった場合に竿が曲がりを生ずる場合に、図１、及び、図８に示すように、竿先側竿体１の竿尻端部が竿尻側竿体２の竿先端部を上下方向に変形させる上下向き荷重Ｐを作用させる。この荷重Ｐを受けて竿尻側竿体２の竿先端部（玉口）において左右側端部位置Ｑ、Ｑに裂け目や亀裂が発生することがあった。
このような場合に、巻き始め部分と巻き終わり部分との重ね合わせ部分を互いに１８０°位置に配置する二枚の補強パターンを組み合わせ構成することによって、左右二箇所の強度の低い部分を１８０°対向位置に配置した重ね合わせ位置の補強を行うことができるとともに、重量増を来たさない構成とできた。
【発明を実施するための最良の形態】
【００１３】
〔第１実施形態〕
振出式の釣り竿Ａについて説明する。図１に示すように、竿先側竿体１を竿尻側竿体２内に収納するとともに、竿先側竿体１を竿尻側竿体２より引き出した状態で、竿先側竿体１の竿尻端の膨出部１Ａが竿尻側竿体２の竿先端の内周面２Ａに圧接することによって、前記竿先側竿体１を引き出した状態に保持するように構成してある。
【００１４】
竿尻側竿体２の製作方法について説明する。図２に示すように、炭素繊維等の強化繊維ｃ群にエポキシ等の熱硬化性樹脂を含浸させてシート状に形成したプリプレグを、竿尻側竿体２の軸線方向に沿った全長に相当する長さに裁断する。この裁断したプリプレグをメインパターン３と称し、メインパターン３における強化繊維ｃの引き揃え方向を円周方向に配置したものを第１メインパターン３Ａ、強化繊維ｃの引き揃え方向を軸線方向に沿って引き揃えたプリプレグを第２メインパターン３Ｂ、強化繊維ｃの引き揃え方向を円周方向に配置したものを第３メインパターン３Ｃとする。
【００１５】
強化繊維ｃとしては、炭素繊維以外にガラス繊維、ボロン繊維等を使用でき、熱硬化性樹脂としてはフェノール樹脂等が使用できる。また、樹脂としてはナイロン等の熱可塑性樹脂等も使用できる。強化繊維ｃの弾性率としては、メインパターンに使用されるものとしては、２０〜６０トン／ｍｍ2のものが使用される。
【００１６】
また、メインパターン３とともに、二枚の補強パターンを用意する。この補強パターンはプリプレグを裁断して構成されるもので、軸線方向に沿った長さがメインパターンより短く裁断されている。補強パターンに採用される強化繊維ｃの弾性率としては、１０〜２０トン／ｍｍ2のものが使用される。
補強パターンとしては、竿先側端部に施される口巻き補強パターン４Ａ、４Ｂと、竿尻端部に施される竿尻補強パターン５Ａ、５Ｂを装備している。
【００１７】
以上のように用意されたメインパターン３と補強パターン４Ａ、４Ｂとから釣り竿用の竿体１，２を形成する手順を説明する。図２に示すように、マンドレル６に対して第１メインパターン３Ａ、第２メインパターン３Ｂ、第３メインパターン３Ｃを順番に巻回するとともに、第３メインパターン３Ｃの上から、口巻き補強パターン４Ａ、４Ｂと竿尻補強パターン５Ａ、５Ｂとを巻回する。
この補強パターンを巻回した後には、図示してはないが、セロファンテープ等の成形テープを全長に亘って巻回するとともに焼成炉によって焼成し、焼成後マンドレルを脱芯し、成形テープを剥離し、所定長さに裁断して、センタレス研磨機等で裁断された竿体に対して研磨加工を施して、塗装工程に移管する。
【００１８】
口巻き補強パターン４Ａ、４Ｂの詳細について説明する。図２に示すように、口巻き補強パターン４Ａ、４Ｂは、強化繊維ｃを円周方向に沿って配置したものであり、その円周方向に沿った幅Ｗを一巻する長さより僅かに長く採ってある。このような長さに設定された口巻き補強パターン４Ａ、４Ｂを第３メインパターン３Ｃの上から巻回していく。
【００１９】
口巻き補強パターン４Ａの巻始め部分４ａと巻終わり部分４ｂとが円周上において横側面部において重なり合うように第３メインパターン３Ｃに巻回する。二つの口巻き補強パターン４Ａ、４Ｂの最初に巻回されるものを第１口巻き補強パターン４Ａと称し、その上から巻回されるものを第２口巻き補強パターン４Ｂと称する。
図３に示すように、第１口巻き補強パターン４Ａの上から第２口巻き補強パターン４Ｂを巻回する。第２口巻き補強パターン４Ｂの巻始め部分４ｃは、第１口巻き補強パターン４Ａの巻始め部分４ａとは、竿軸芯Ｘ位置を挟んで１８０°対角位置に設定する。巻終わり部分４ｄは、巻始め部分４ｃに重ね合わせる。
以上のように、内側に位置する第１口巻き補強パターン４Ａと外側に位置する第２口巻き補強パターン４Ｂとの巻始め部分４ａ、４ｃと巻終わり部分４ｂ、４ｄとは竿体の横側面位置で竿軸芯Ｘを挟んで互いに１８０°反対側に位置して、二重壁構造を構成している。
【００２０】
以上のように、両側面部に両口巻き補強パターン４Ａ、４Ｂの巻始め部分４ａ、４ｃと巻き終わり部分４ｂ、４ｄとの重ね合わせ位置を竿体の横側面位置に設定したので、釣り操作時において、前記した重ね合わせ位置を竿体の横側位置に設定する目印を設けてある。
【００２１】
〔第２実施形態〕
ここでは、伸縮式の釣り竿Ｂについて説明する。図示してはいないが、竿先側竿体を竿尻側竿体から引き出した状態で、竿先側竿体の竿尻端部の膨出部を竿尻側竿体の玉口の内周面に圧接させることによって、その引き出し状態に保持するようになっている。図６に示すように、引き出した状態から竿先側竿体１０を竿尻側竿体１１内に収納した状態で、竿先側竿体１０の竿先端部の膨出部１０Ｂが竿尻側竿体１１の玉口の内周面１１Ａに圧接するとともに、竿先側竿体１０の竿尻端部の膨出部１０Ａが竿尻側竿体１１の尻端に尻栓７及び竿受止用の座ゴム８とともに配置されているゴム製の嵌合保持体１１Ｂ内に内嵌合されて、竿先側竿体１０の収納状態を保持する構成としてある。
【００２２】
このように、伸縮式の釣り竿Ｂにおいても、図３に示すように、前記した竿尻側竿体１１の玉口の構造と同様の構造を採用する。つまり、必ずしも、前記したメインパターン３Ａ、３Ｂ、３Ｃを３枚重ねる必要はないが、少なくともメインパターン３を巻回した後に、その外側に第１口巻き補強パターン４Ａと第２口巻き補強パターン４Ｂとを、巻始め部分４ａと巻終わり部分４ｂとが円周上の横側面部において重なり合うように巻回する。
このように、口巻き補強パターン４Ａ、４Ｂを巻回することによって、伸縮式釣り竿Ａにおいても、竿尻側竿体１１の玉口強度を確保することができる。
【００２３】
〔別実施形態〕
（１）  口巻き補強パターンとして３枚のプリプレグを巻回する構成について説明する。この場合には、前記と同様に、巻き始め部分４ａと巻き終わり部分４ｂを、３枚のプリプレグ全てにおいて重ね合わせる構成を採ると、玉口断面において左右の肉厚が異なってくるので、図４（イ）に示すように、第１口巻き補強パターン４Ａと第２口巻き補強パターン４Ｂとの巻回状態は、前記したものと同様であるが、第２口巻き補強パターン４Ｂの上から巻く第３補強パターン３Ｃについては、巻始め部分４ｃと巻き終わり部分４ｄとは重ね合わせないで、突き合わせる状態で配置することになる。
このような構成を採ることによって、第１口巻き補強パターン４Ａと第２口巻き補強パターン４Ｂの巻き始め４ａ、４ｃと巻き終わり部分４ｂ、４ｄが重なり合うことによって、３枚のプリプレグであるが、４プライ分の補強効果を確保している。
【００２４】
（２）  口巻き補強パターンとして３枚のプリプレグを巻回する構成については、次ぎのような構成を採ってもよい。この場合には、図４（ロ）に示すように、３枚の補強パターン４Ａ、４Ｂ、４Ｃの巻き始め部分４ａ、４ｃ、４ｅと、巻き終わり部分４ｂ、４ｄ、４ｆとの重ね合わせ部分を、円周方向で１２０°離間した位置に設けるようにする。このような構成によって、左右両側部分に重ね合わせ部分が位置しないこととなるが、円周方向３箇所に配置した重ね合わせ部分の強度が向上することによって、３枚のプリプレグであるが、４プライ分の補強効果を確保している。
【００２５】
（３）  口巻き補強パターンとして４枚のものを巻回する構成について説明する。このような構成は、玉口強度を向上させるために必要で、大型の竿に適しているものと思われる。図５に示すように、前記した第１口巻き補強パターン４Ａと、第２口巻き補強パターン４Ｂとを、巻始め部分４ａ、４ｃと巻き終わり部分４ｂ、４ｄとが重なり合うように巻回したものの上から、第３口巻き補強パターン４Ｃと第４口巻き補強パターン４Ｄとを、巻始め部分４ｅ、４ｇと巻き終わり部分４ｆ、４ｈとが重なり合うように巻回したもののを重ね合わせて構成する。
第３口巻き補強パターン４Ｃと第４口巻き補強パターン４Ｄとの巻始め部分４ｅ、４ｇと巻き終わり部分４ｆ、４ｈと、第１口巻き補強パターン４Ａと第２口巻き補強パターン４Ｂとの巻始め部分４ａ、４ｃと巻き終わり部分４ｂ、４ｄとの巻き重ね状態は同一であるが、巻始め部分と巻き終わり部分とが重ね合わされた重ね合わせ部分が円周方向に９０°ずれた状態となっている。
【００２６】
このような構成によって竿体の上下左右の４箇所に巻重ねて強化された部分を配置できて、左右横側部と直交する位置の上下位置においても補強効果を持たせることができ、このことによって上下方向への変形度合いが少なくなり、左右への荷重負担を軽減できる。
また、円周方向４箇所に重ね合わせ部分を設けることとなったので、前記した実施形態のように、円周方向の２箇所においてのみ重ね合わせ部分を設ける場合のように、その重ね合わせ部分を左右の横側部に設定するために目印を竿体に印す等の細かい工夫を採用する必要性は少ない。
【００２７】
（４）  インロー継式の釣り竿Ｃに適用する場合を説明する。図７に示すように、竿先側竿体１２の竿尻端から係合突部１２Ａを延出するとともに、竿尻側竿体１３の竿先端部に前記係合突部１２Ａを内嵌合する係合孔１３Ａを形成し、前記係合突部１２Ａが係合孔１３Ａに内嵌合して、竿先側竿体１２を竿尻側竿体１３に嵌合連結保持するように構成してある。
このようなインロー継式の釣り竿Ｃにおいて、竿尻側竿体１３の玉口部の構成としては、第１実施形態、第２実施形態と同様に、図３に示すような、口巻き補強パターン４Ａ、４Ｂを巻回してある。つまり、マンドレルに対して第１メインパターン３、第２メインパターン３、第３メインパターン３を順番に巻回するとともに、第３メインパターン３の上から、口巻き補強パターン４Ａ、４Ｂを、巻始め部分４ａ、４ｃと巻き終わり部分４ｂ、４ｄとが重なり合うように巻回してある。このような構成によって、竿尻側竿体１３の玉口部の強度を向上させることができる。なお、竿尻側竿体１３の玉口部の内周面には係合孔１３Ａを構成する内向きに膨出する膨出部１３ａが形成してあるので、この膨出部１３ａを形成するために、第１メインパターン３の更に内側に図示してはいないが内側口巻き補強パターンを設ける必要がある。
以上のような構成のものは並継式釣り竿に適用してもよい。
【００２８】
（５）  口巻き補強パターンとしては、一枚だけメインパターンの上から施すものでもよい。巻始め部分４ａと巻き終わり部分４ｂとが重なり合う部位を最も強度の弱い位置に対応して巻回する。
【図面の簡単な説明】
【００２９】
【図１】竿先側竿体を竿尻側竿体から引き出した状態を示す縦断側面図
【図２】メインパターンと補強パターンとをマンドレルに巻回する前の状態を示す斜視図
【図３】第１、第２口巻き補強パターンを巻回した状態を示す縦断正面図
【図４】（イ）は、３枚の口巻き補強パターンを巻回した状態を示し、最外周では巻き重ね部分を持たない状態のものを示す縦断正面図、（ロ）は、３枚の口巻き補強パターンを巻回した状態を示し、巻き重ね部分を夫々１２０°づらした位置に設ける状態を示す縦断正面図
【図５】４枚の口巻き補強パターンを巻回した状態を示す縦断正面図
【図６】伸縮式釣り竿を示す縦断側面図
【図７】印籠式釣り竿を示す縦断側面図
【図８】従来の口巻き補強パターンを巻回した状態を示す正面図
【符号の説明】
【００３０】
１，２、１０，１１      竿体
３、３Ａ、３Ｂ、３Ｃ    メインパターン
４Ａ、４Ｂ              口巻き補強パターン
４ａ、４ｂ、４ｃ        巻き始め部分
４ｂ、４ｄ、４ｅ        巻き終わり部分
Ｘ                      竿軸芯
【図１】
2006314230.tif 000003
【図２】
2006314230.tif 000004
【図３】
2006314230.tif 000005
【図４】
2006314230.tif 000006
【図５】
2006314230.tif 000007
【図６】
2006314230.tif 000008
【図７】
2006314230.tif 000009
【図８】
2006314230.tif 000010